【事件の表示】
　平成　５年特許願第　２９２８４号「アンテナインピーダンス整合装置」拒絶査定に対する審判事件［平成　６年　９月　２日出願公開、特開平　６−２４４７５６］について、次のとおり審決する。
【結　論】
　本件審判の請求は、成り立たない。
【理　由】
第１．手続の経緯・本件発明
　本願は、平成５年２月１８日の出願であって、その特許請求の範囲の請求項３に係る発明（以下、「本件発明」という）は、平成１５年１月１７日付の手続補正書により補正された明細書及び図面の記載からみて、その請求項３が引用する請求項１の記載事項を考慮した以下のとおりのものと認める。
「アンテナから所定の送信周波数の信号を送信する送信部、
　前記アンテナから前記送信周波数と異なる周波数の信号を受信する受信部、
　前記アンテナと前記送信部または前記受信部との接続を選択的に切り換える送受切り換え器、
　この送受切り換え器と前記アンテナとの間に設けられインピーダンス値を変更可能なインピーダンス整合手段、
　このインピーダンス整合手段に対し、前記送信部の送信タイミングおよび前記受信部の受信タイミングに基づいて制御信号を出力する制御手段を備え、
　前記インピーダンス整合手段は、前記アンテナに直列に接続された第１のインピーダンス素子で構成される第１の回路と、
　この第１のインピーダンス素子と前記送受切り換え器との間に設けられた第２のインピーダンス素子で構成される第２の回路と、
　前記第１のインピーダンス素子と前記第２のインピーダンス素子の中間接続点とアースとの間に設けられ、前記制御手段の出力する制御信号により、そのリアクタンス値が設定される可変リアクタンス素子で構成される第３の回路
とからなり、
　前記制御信号により、前記可変リアクタンス素子のリアクタンス値が設定されることにより、送信時には、前記第３の回路の可変リアクタンス素子のリアクタンス値が送信時のものに設定されて、前記アンテナと前記送信部とのインピーダンス整合を取る第１のインピーダンス値が設定され、受信時には、前記第３の回路の可変リアクタンス素子のリアクタンス値が受信時のものに設定されて、前記アンテナと前記受信部とのインピーダンス整合を取る第２のインピーダンス値が設定されることを特徴とするアンテナインピーダンス整合装置。」
　
第２．特許法第２９条の２の要件
１．先願発明
　これに対して、当審において平成１４年１１月１３日付けで通知した拒絶の理由に引用された本願の出願日前の他の出願であって、その出願後に出願公開された、特願平４−１５８５１２号（特開平５−３２７３３３号公報）の最初に添付された明細書及び図面（以下、「先願明細書」という。）には、以下の事項（１）〜（５）が記載されている。
（１）「【特許請求の範囲】
【請求項１】　外導体と内導体とを有する線状アンテナと、
前記内導体と給電点との間に接続されている、インダクタンス素子とキャパシタンス素子とを有するインピーダンスマッチング回路と、
前記キャパシタンス素子の値を切換える切換回路と
を備えることを特徴とする通信装置。
【請求項２】　前記通信装置は、
前記給電点に接続される受信回路と、
前記給電点に接続される送信回路と、
前記受信回路または送信回路を前記給電点に選択的に接続するスイッチ回路とをさらに備えることを特徴とする請求項１に記載の通信装置。
【請求項３】　前記インピーダンスマッチング回路は、前記インダクタンス素子に直流電圧が印加されるのを阻止するコンデンサをさらに備えることを特徴とする請求項１または２に記載の通信装置。」
　
（２）「【０００３】【発明が解決しようとする課題】ところで、このデジタルセルラーは、より多くのチャンネルを確保するため、その送受信帯域が広帯域化している。広帯域の電波を送受することができるようにするには、複数のアンテナを設けることが考えられる。しかしながら、複数のアンテナを設けると、装置が大掛かりとなって、取り扱いが不便になる課題があった。
　【０００４】本発明はこのような状況に鑑みてなされたものであり、広帯域の電波を１本のアンテナで送受できるようにするものである。」
　
（３）「【０００５】【課題を解決するための手段】本発明の通信装置は、外導体３と内導体２とを有する線状アンテナとしてのダイポールアンテナ１と、内導体２と給電点４との間に接続されている、インダクタンス素子としてのコイル６とキャパシタンス素子としてのバリキャップ８とを有するインピーダンスマッチング回路５と、バリキャップ８の値を切換える切換回路９とを備えることを特徴とする。
【０００６】この通信装置は、給電点４に接続される受信回路２０と、給電点４に接続される送信回路１９と、受信回路２０または送信回路１９を給電点４に選択的に接続するスイッチ回路１８とをさらに備えることができる。
【０００７】さらにインピーダンスマッチング回路５は、コイル６に直流電圧が印加されるのを阻止するコンデンサ７をさらに備えることができる。
【０００８】【作用】上記構成の通信装置においては、バリキャップ８の値が切換回路９により異なる値に切換えられる。これにより、ダイポールアンテナ１により送受信可能な周波数帯域が切換えられる。」
　
（４）「【０００９】【実施例】図１は、本発明の通信装置の一実施例の構成を示す回路図である。ダイポールアンテナ１は、内導体２と外導体３により構成され、内導体２の長さは送受信される波長λの３／８に設定されており、外導体３は接地されている。そして内導体２と給電点４の間には、インピーダンスマッチング回路５が接続されている。インピーダンスマッチング回路５は、内導体２と給電点４の間に接続されたインダクタンス素子としてのコイル６と、このコイル６に対して並列に接続されたコンデンサ７と、キャパシタンス素子としてのバリキャップ８の直列回路により構成されている。
【００１０】コンデンサ７とバリキャップ８の接続点には、切換回路９が接続されている。この切換回路９は、コレクタが抵抗１２を介して所定の基準電位（＋５Ｖ）に接続され、エミッタがコンデンサ１５を介して接地されているＮＰＮトランジスタ１４を有している。このＮＰＮトランジスタ１４のベースには、基準電位を抵抗１０と１１により分圧した電圧が印加されるようになされている。また、そのエミッタは抵抗１３を介してコンデンサ７とバリキャップ８の接続点に接続されている。
【００１１】送信回路１９と受信回路２０は、スイッチ回路１８を介して給電点４と選択的に接続されるようになされている。例えば、マイクロコンピュータなどよりなるコントローラ１７は、送信回路１９と受信回路２０を制御するとともに、スイッチ回路１８と切換回路９を制御するようになされている。
【００１２】次に、その動作について説明する。コントローラ１７は、送信モード時、送信回路１９を活性化するとともに、スイッチ回路１８を送信回路１９側に切換えさせる。またこのとき、コントローラ１７は、切換回路９のＮＰＮトランジスタ１４のベースに論理Ｈのクロックを出力する。これにより、ＮＰＮトランジスタ１４がオンし、抵抗１２、ＮＰＮトランジスタ１４、抵抗１３の経路でバリキャップ８に電圧が印加され、バリキャップ８の容量が大きい値に設定される。その結果、アンテナ１のＶＳＷＲ（ｖｏｌｔａｇｅ　ｓｔａｎｄｉｎｇ　ｗａｖｅ　ｒａｔｉｏ）特性が、図２に示すように、より低い周波数ｆLを中心とする周波数帯域の信号を通過する特性となる。これにより、図示せぬ回路より供給された信号が送信回路１９において変調され、この変調信号がスイッチ回路１８、インピーダンスマッチング回路５、アンテナ１を介して電波で送出される。
【００１３】一方、受信モード時においては、コントローラ１７は、受信回路２０を活性化し、スイッチ回路１８を受信回路２０側に切換えさせる。また、切換回路９のＮＰＮトランジスタ１４のベースに論理Ｌのクロックを供給し、ＮＰＮトランジスタ１４をオフさせる。これにより、バリキャップ８の一端は、抵抗１３とコンデンサ１５を介して接地される。その結果、バリキャップ８の容量がより小さい値に切換えられる。これにより、アンテナ１とインピーダンスマッチング回路５のＶＳＷＲ特性は、図２に示すように、より高い周波数ｆHを中心とする周波数帯域の信号を通過するように切換えられる。即ち、アンテナ１、インピーダンスマッチング回路５、給電点４、スイッチ回路１８を介して受信回路２０にアンテナ１により受信した信号が入力される。受信回路２０は、この信号を復調し、図示せぬ回路に出力する。
【００１４】尚、コンデンサ７は、ＮＰＮトランジスタ１４がオンしている場合において、バリキャップ８に印加される直流電圧がコイル６に印加されるのを防止するものである。」
　
（５）「【００１６】【発明の効果】　以上の如く本発明の通信装置によれば、インピーダンスマッチング回路のキャパシタンス素子を所定の値に切換えるようにしたので、１本のアンテナで広い周波数帯域の信号を送受することが可能になる。従って、取り扱いが容易となり、装置を小型化することが可能となる。」
　
　これらの記載及び図１，２によれば、先願明細書には、
　
　アンテナ１から所定の送信周波数の信号を送信する送信回路１９、前記アンテナ１から前記送信周波数と異なる周波数の信号を受信する受信回路２０、前記アンテナ１の給電点４と前記送信回路１９または前記受信回路２０との接続を選択的に切り換えるスイッチ回路１８、このスイッチ回路１８に接続された給電点４と前記アンテナ１を構成する内導体２との間に接続されたインダクタンス素子としてのコイル６と、このコイルに並列に接続されたコンデンサ７と、キャパシタンス素子としてのバリキャップ８の直列回路により構成されているインピーダンスマッチング回路５と、このインピーダンスマッチング回路５に対し、送信と受信とを切換える制御信号を出力するコントローラ１７からの制御信号を受けて、前記送信回路の送信タイミング及び前記受信回路の受信タイミングに基づいて前記バリキャップ８の値を切換える切換回路９とを備え、切換回路９から出力される電圧によりバリキャップ８の容量値が設定され、送信時にはアンテナ１のＶＳＷＲ特性が送信周波数帯域の信号を通過する特性になるようにバリキャップ８の容量値が設定され、受信時にはアンテナ１のＶＳＷＲ特性が受信周波数帯域の信号を通過する特性になるようにバリキャップ８の容量値が設定されるように構成したアンテナインピーダンスマッチング装置。
　
という発明（以下、「先願発明」という。）が記載されているということができる。
　
２．本件発明と先願発明との対比判断
　そこで本件発明と先願発明とを対比すると、両者は、共に、１本のアンテナを使用して送信時と受信時とで周波数が異なる信号を送受信する通信装置におけるアンテナインピーダンス整合装置であり、先願発明の「内導体２」、「送信回路１９」、「受信回路２０」、「スイッチ回路１８」、「インピーダンスマッチング回路５」、「送信と受信とを切換える制御信号を出力するコントローラ１７と切換回路９」、「バリキャップ８」は、それぞれ本件発明の「アンテナ」、「送信部」、「受信部」、「送受切り換え器」、「インピーダンス整合手段」、「送信部の送信タイミングおよび前記受信部の受信タイミングに基づいて制御信号を出力する制御手段」、「可変リアクタンス素子」に相当する。
　さらに、先願発明における「切換回路９から出力される電圧によりバリキャップ８の容量値が設定され、送信時にはアンテナ１のＶＳＷＲ特性が送信周波数帯域の信号を通過する特性になるようにバリキャップ８の容量値が設定され、受信時にはアンテナ１のＶＳＷＲ特性が受信周波数帯域の信号を通過する特性になるようにバリキャップ８の容量値が設定される」という点は、本件発明の「前記制御信号により、前記可変リアクタンス素子のリアクタンス値が設定されることにより、送信時には、前記第３の回路の可変リアクタンス素子のリアクタンス値が送信時のものに設定されて、前記アンテナと前記送信部とのインピーダンス整合を取る第１のインピーダンス値が設定され、受信時には、前記第３の回路の可変リアクタンス素子のリアクタンス値が受信時のものに設定されて、前記アンテナと前記受信部とのインピーダンス整合を取る第２のインピーダンス値が設定される」という点に相当しているから、
　本件発明と先願発明とは、
　
　アンテナから所定の送信周波数の信号を送信する送信部、
　前記アンテナから前記送信周波数と異なる周波数の信号を受信する受信部、
　前記アンテナと前記送信部または前記受信部との接続を選択的に切り換える送受切り換え器、
　この送受切り換え器と前記アンテナとの間に設けられインピーダンス値を変更可能なインピーダンス整合手段、
　このインピーダンス整合手段に対し、前記送信部の送信タイミングおよび前記受信部の受信タイミングに基づいて制御信号を出力する制御手段を備え、
　前記インピーダンス整合手段は、前記制御手段の出力する制御信号により、そのリアクタンス値が設定される可変リアクタンス素子を具備し、
　前記制御信号により、前記可変リアクタンス素子のリアクタンス値が設定されることにより、送信時には、前記の可変リアクタンス素子のリアクタンス値が送信時のものに設定されて、前記アンテナと前記送信部とのインピーダンス整合を取る第１のインピーダンス値が設定され、受信時には、前記の可変リアクタンス素子のリアクタンス値が受信時のものに設定されて、前記アンテナと前記受信部とのインピーダンス整合を取る第２のインピーダンス値が設定されるによう構成されたアンテナインピーダンス整合装置。
　
の点で一致する。
　
　ただ、本件発明においては、インピーダンス整合手段は、アンテナに直列に接続された第１のインピーダンス素子で構成される第１の回路と、この第１のインピーダンス素子と送受切り換え器との間に設けられた第２のインピーダンス素子で構成される第２の回路と、前記第１のインピーダンス素子と前記第２のインピーダンス素子の中間接続点とアースとの間に設けられ、制御手段の出力する制御信号により、そのリアクタンス値が設定される可変リアクタンス素子で構成される第３の回路とからなるものであるのに対して、先願発明においては、インピーダンス整合手段は、インダクタンス素子としてのコイル６と、このコイルに並列に接続されたコンデンサ７と、キャパシタンス素子としてのバリキャップ８の直列回路により構成されているものであるので、両者の間にインピーダンス整合手段の具体的な回路構成において一応の相違が認められる。
　しかしながら、アンテナと送受信部との間にアンテナインピーダンス整合回路を挿入すること、コイルやコンデンサ等のインピーダンス素子を組み合わせて整合回路を構成すること、及び異なる周波数において整合が取れるように整合回路を構成するインピーダンス素子うちの少なくとも一つの値を可変とすることは当業者にとって周知の事項であり、かつ本件発明におけるインピーダンス整合手段のごとくアンテナと送受信部の間に挿入される整合回路として、第１のインピーダンス素子に第２のインピーダンス素子を接続し、その接続点とアースとの間にリアクタンス素子を設けたところのいわゆるＴ型整合回路を使用することは当業者の慣用技術（必要であれば、特開昭６０−１８０２１号公報、ＣＱ ham radio編集部「入門ハムシリーズ３　実用アンテナ・スタイルブック」p.125（リモート・コントロール Ｔ型カップラー）１９９２年７月２０日第１０版発行,ＣＱ出版株式会社、実願平２−３０１０９号（実開平３−１２１７３７号）のマイクロフィルム等を参照。）であるので、上記の相違は、単なる慣用技術の置換にすぎず実質的な差異にはあたらない。
　
３．まとめ
　以上のとおりであって、本件発明と先願発明との間に実質的な差異はなく、本件発明は先願発明と同一である。
　そして、本件発明の発明者が先願発明の発明者と同一であるとも、また、本件の出願時に、その出願人が上記他の出願の出願人と同一でもないので、本件発明は、特許法第２９条の２の規定により特許を受けることができない。
　
第３．特許法第２９条第２項の要件
１．引用刊行物に記載の発明
　当審において平成１４年１１月１３日付けで通知した拒絶の理由に引用した実願昭６３−１４４１４１号（実開平２−６４２０４号）のマイクロフィルム（以下、引用例１という）、及び、特開昭６３−１８０２２４号公報（以下、引用例２という）には、それぞれ、次の事項が記載されている。
　
［引用例１］
（１）「（考案の概要）
　本考案は、送信機及び受信機とアンテナとの間に送受共用のフィルタを挿入したＵＨＦ帯乃至マイクロ帯の移動通信装置であって、同調周波数可変型ストリップラインフィルタを送信及び受信に共用することによって小型軽量化を図ったものである。」（第２頁第１９行〜第３頁第５行より抽出）
　
（２）「（考案が解決しようとする課題）
　しかし第４図及び第５図に示すストリップラインフィルタは同調周波数が固定であるため、移動通信装置において送信機及び受信機とアンテナとの間にストリップラインフィルタを挿入する場合、送信周波数に同調した送信用ストリップラインフィルタと、受信用ストリップラインフィルタとを別々に設ける必要性があり、小型軽量化を図ることができない嫌いがあった。」（第３頁第４〜１３行より抽出）
　
（３）「（課題を解決するための手段及び作用）
　上記目的を達成するために、本考案は、送信機及び受信機との間にフィルタを挿入した移動通信装置において、誘電体基板の一方の面に共振用ストリップラインを形成し、少なくとも他方の面にアース導体を形成し、前記共振用ストリップラインとアース導体との間に可変容量ダイオードを接続してなる同調周波数可変型ストリップラインフィルタで前記フィルタを構成している。これにより、該同調周波数可変型ストリップラインフィルタを送信及び受信に共用でき、小型、軽量化を図ることができる。」（第３頁第１８行〜第４頁第９行より抽出）
　
（４）「この同調周波数可変ストリップラインフィルタ１１は、原理的には同軸型コムライン型フィルタとして動作する帯域通過ろ波器であり、可変電圧源２１，２２，２３より可変容量ダイオードＶＣ１，ＶＣ２、ＶＣ３に印加する電圧をステップ状に変化させることで、送信機１３よりアンテナ１０へ送出される送信信号の周波数帯あるいは受信機１４の受信周波数帯に同調させることができる。
　以上の実施例の構成において、自動車電話等の音声の伝達を目的とした移動通信装置の場合、ダイオードスイッチＤ１，Ｄ２を音声周波数に比べ高速で切り換え、ダイオードスイッチＤ１オン時は送信機１３、アイソレータ１２、ダイオードスイッチＤ１、送信周波数帯に同調した同調周波数可変型ストリップラインフィルタ１１、アンテナ１０の経路で電波を送信し、ダイオードスイッチＤ２オン時は受信電波をアンテナ１０で捕捉して受信周波数帯に同調した同調周波数可変型ストリップラインフィルタ１１及びダイオードスイッチＤ２を通して受信機１４で受信、復調する。これにより、同時通話が可能であり、しかもストリップラインフィルタは１個でよいからよいから小型、軽量化が可能である。」（第６頁欄第６行〜第７頁第８行より抽出）
　
　上記（１）〜（４）の記載、及び第１〜３図を参照すると、ストリップラインフィルタ１１は、アンテナ１０と、送信機１３・受信機１４との間に挿入され、帯域通過ろ波器として機能するものであるので、引用例１には、次の発明（以下、「引用例１記載の発明」という。）が記載されているものと認められる。
　
　アンテナ１０から所定の送信周波数の信号を送信する送信機１３、前記アンテナ１０から前記送信周波数と異なる周波数の信号を受信する受信機１４、前記アンテナ１０と前記送信機１３または前記受信機１４との接続を選択的に切り換えるダイオードスイッチＤ１，Ｄ２、及び前記ダイオードスイッチＤ１，Ｄ２とアンテナ１０との間に挿入された帯域通過ろ波器を備えた移動通信装置において、前記帯域通過ろ波器は同調周波数可変用の可変容量ダイオードＶＣ１，ＶＣ２、ＶＣ３を備えた同調周波数可変型ストリップラインフィルタ１１で構成され、前記ダイオードスイッチＤ１，Ｄ２による送受信機の切り換え接続に連動させて前記同調周波数可変型ストリップラインフィルタ１１の可変容量ダイオードＶＣ１，ＶＣ２、ＶＣ３へ印加する直流電圧をステップ状に変化させることにより、送信時には送信機１３よりアンテナ１０へ送出される送信信号の周波数帯に同調させ、受信時には受信機１４の受信周波数帯に同調させるように構成され、送信及び受信に共用される同調周波数を変更可能な帯域通過ろ波器を備えた移動通信装置。
　
［引用例２］
（１）「第９図に双方向無線機の一般的な構成を示す。双方向無線機は相異なる２つの周波数f1,f2の電波を送信用、受信用に専用するので、送信受信が同時に行える便利な特徴を持つ。この場合、アンテナを送信用、受信用に別々に設けてもよいが、簡便さのためには送信、受信を兼用することが好ましい。兼用する場合に送信機５と受信機４とを直接にアンテナに接続すると、アンテナの出力端で両者が接続状態になるので、この結合を避けるために送受周波数の違いを利用した分離回路部即ちアンテナ共用器３を設ける。従って一本のアンテナがアンテナ共用器３を通して送信機５と受信機４に分けて接続されて結合の問題が解決される。この場合、アンテナ共用器３はアンテナインピーダンスの特定の値をもつものとして設計されることはいうまでもない。」（第１頁右下欄第４〜１９行より抽出）
　
（２）「次に問題となるのは１本のアンテナ１が送受２周波に対応出来るかどうかの広帯域性である。これはアンテナ設計を出来るだけ広帯域化することで避けられるが、これには限度がある。特に携帯用に簡便なホイップアンテナでは設計の自由度に乏しく、波長に比べて非常に短いホイップアンテナでは等価的に損失の多い容量に等しく、殆んど長さで一意的に特性が決まってしまう。この様な場合にはアンテナマッチング回路２を用いてインピーダンスマッチング回路２を用いてインピーダンスマッチングを広帯域化する手段が残っている。例えば２つの周波数f1,f2に対してマッチングを取る２周波マッチング回路とする手段である。」（第２頁右下欄第２０行〜第３頁左上欄第１２行より抽出）
　
２．本件発明と引用発明との対比
　本件発明と引用例１記載の発明とを対比すると、両者は共に１本のアンテナを送受信で共用すると共に送信周波数と受信周波数が異なる無線通信に係る装置であって、引用例１記載の発明における「アンテナ１０」、「送信機１３」、「受信機１４」、「ダイオードスイッチＤ１，Ｄ２」、「可変容量ダイオード」は、それぞれ、本件発明における「アンテナ」、「送信部」、「受信部」、「送受切り換え器」、「可変リアクタンス素子」に対応しているものと認められる。
　そして、本件発明においては、「アンテナ」、「送信部」、「受信部」、「送受切り換え器」、「インピーダンス整合手段」、及び「送信部の送信タイミングおよび受信部の受信タイミングに基づいて制御信号を出力する制御手段」等を具備した装置全体を「インピーダンス整合装置」と呼んでいるのであるからこれは無線通信装置に該当するものあって、引用例１記載の発明の「移動通信装置」と本件発明の「インピーダンス整合装置」とは、共に、１本のアンテナを送受信で共用すると共に送信周波数と受信周波数が異なる無線通信装置という点で一致しているものと認められる。
　また、引用例１記載の発明における「前記ダイオードスイッチＤ１，Ｄ２による送受信機の切り換え接続に連動させて前記同調周波数可変型ストリップラインフィルタ１１の可変容量ダイオードＶＣ１，ＶＣ２、ＶＣ３へ印加する直流電圧をステップ状に変化させることにより、送信時には送信機１３よりアンテナ１０へ送出される送信信号の周波数帯に同調させ、受信時には受信機１４の受信周波数帯に同調させるように構成され」という構成は、本件発明における「前記送信部の送信タイミングおよび前記受信部の受信タイミングに基づいて制御信号を出力する制御手段を備え、前記制御手段の出力する制御信号により、そのリアクタンス値が設定される可変リアクタンス素子で構成される回路であり、前記制御信号により、前記可変リアクタンス素子のリアクタンス値が設定されることにより、送信時には、前記回路の可変リアクタンス素子のリアクタンス値が送信時のものに設定されて、前記アンテナと前記送信部とのインピーダンス整合を取る第１のインピーダンス値が設定され、受信時には、前記可変リアクタンス素子のリアクタンス値が受信時のものに設定されて、前記アンテナと前記受信部とのインピーダンス整合を取る第２のインピーダンス値が設定される」に対応しているものと認められる。
　さらに、引用例１記載の発明における「帯域通過ろ波器」と、本件発明における「インピーダンス整合手段」は、共に、アンテナと送受信切り換え器の間に挿入される挿入回路であって、送受信において共用され、その回路の対応周波数が、送受信の切り換えに応じて切り換えられ、送信時には送信周波数に対応するように、かつ受信時には受信周波数に対応するように構成された回路である点で一致しているものと認められる。
　
　よって、本件発明と引用例１記載の発明とは、
　アンテナから所定の送信周波数の信号を送信する送信部、
　前記アンテナから前記送信周波数と異なる周波数の信号を受信する受信部、
　前記アンテナと前記送信部または前記受信部との接続を選択的に切り換える送受切り換え器、
　この送受切り換え器と前記アンテナとの間に設けられ、送受信で共用され対応周波数が変更可能な挿入回路、
　この挿入回路に対し、前記送信部の送信タイミングおよび前記受信部の受信タイミングに基づいて制御信号を出力する制御手段を備えた無線通信装置であって、
　前記挿入回路は、前記制御手段の出力する制御信号により、そのリアクタンス値が設定される可変リアクタンス素子を備え、
　前記制御信号により、前記可変リアクタンス素子のリアクタンス値が設定されることにより、送信時には、前記挿入回路の可変リアクタンス素子のリアクタンス値が送信時のものに設定されて、挿入回路の対応周波数が送信周波数のものに設定され、受信時には、前記挿入回路の可変リアクタンス素子のリアクタンス値が受信時のものに設定されて、挿入回路の対応周波数が受信時のものに設定される無線通信装置。
　
である点で一致し、次の点が相違する。
　
相違点：アンテナと送受切り換え器との間に挿入される挿入回路が、本件発明においては、アンテナと送受信部とのインピーダンス整合をとるインピーダンス整合手段であって、アンテナに直列に接続された第１のインピーダンス素子で構成される第１の回路と、この第１のインピーダンス素子と送受切り換え器との間に設けられた第２のインピーダンス素子で構成される第２の回路と、前記第１のインピーダンス素子と前記第２のインピーダンス素子の中間接続点とアースとの間に設けられ、前記制御手段の出力する制御信号により、そのリアクタンス値が設定される可変リアクタンス素子で構成される第３の回路とからなるインピーダンス整合手段であるのに対して、引用例１記載の発明においては、帯域通過ろ波器である点。
　
３．相違点の判断
　上記相違点について検討する。
　一般に、無線通信装置において、アンテナと送受信機との間にアンテナインピーダンス整合回路を挿入し、その整合回路において少なくとも一つの可変リアクタンス素子を設けて、異なる周波数においてインピーダンス整合が取れるように構成すること、かつ、そのインピーダンス整合回路を、第１のインピーダンス素子に第２のインピーダンス素子を接続し、その接続点とアースとの間にリアクタンス素子を設けたところのいわゆるＴ型整合回路で構成することは当業者の慣用技術（必要であれば、特開昭６０−１８０２１号公報、ＣＱ ham radio編集部「入門ハムシリーズ３　実用アンテナ・スタイルブック」p.125（リモート・コントロール Ｔ型カップラー）１９９２年７月２０日第１０版発行，ＣＱ出版株式会社、実願平２−３０１０９号（実開平３−１２１７３７号）のマイクロフィルム等を参照。）である。
　さらに、上記引用例２に開示されているごとく、１本のアンテナを送受信で共用し、かつ送信周波数と受信周波数が互いに異なる周波数を使用する無線機においては、アンテナと送信機・受信機を結ぶアンテナ共用器等との間に挿入するアンテナマッチング回路部において、送信周波数と受信周波数の２つの周波数でマッチングを取る必要があるということは当業者にとって自明の課題であるから、１本のアンテナを送受信で共用するとともに送信周波数と受信周波数として互いに異なるものを使用し、アンテナと送受信部との間に送受信切り換え器を備えた無線通信装置において、アンテナと送受信切り換え器との間に、アンテナインピーダンス整合回路を挿入し、かつそのインピーダンス整合回路を第１のインピーダンス素子に第２のインピーダンス素子を接続し、その接続点とアースとの間にリアクタンス素子を設けたところのいわゆるＴ型整合回路で構成するとともに、前記リアクタンス素子を可変リアクタンス素子で構成し、そのリアクタンス値を送受信のタイミングで切り換えるよう構成し、送信時には送信周波数でインピーダンス整合が取れるにようにし、かつ、受信時には受信周波数でインピーダンス整合が取れるにようにすることは、当業者であれば容易に想到し得たことと認められる。
　そして、本件発明の構成によってもたらされる効果も、引用例１、２に記載の発明及び上記慣用技術から当業者ならば容易に予測することができる程度のものであって、格別のものとはいえない。
　
４．まとめ
　したがって、本件発明は、引用例１、２に記載の発明及び慣用技術に基いて、当業者が容易に発明をすることができたものであるので、特許法第２９条第２項の規定により特許を受けることができない。
　
第４．むすび
　以上のとおり、本件の請求項３に係る発明は、先願明細書又は図面に記載された発明と同一であるもの、あるいは、引用例１、２に記載の発明及び慣用技術に基いて当業者が容易に発明をすることができたものと認められるので、特許法第２９条の２及び特許法第２９条第２項の規定により特許を受けることができない。
　そして、本件の特許請求の範囲の請求項３に係る発明について特許を受けることができないものである以上、他の請求項に係る発明について検討するまでもなく本願は拒絶されるべきものである。
よって、上記結論のとおり審決する。